(57)【要約】  情報流通サイト上で入手可能な元情報に、空間上の特定の地点又は区域を関連づけて、効率的に地理空間情報を生成するための装置を提供する。地理空間情報生成装置（１００）は、情報流通サイト上で入手可能な元情報を収集する収集部（１１０）と、当該元情報に対し、当該元情報に関連する施設情報を付与して地理空間情報を生成する付与部（１２０）とを備える。付与部（１２０）は、元情報（２００）のＵＲＬ（２０４）に基づいて、元情報に関連する施設情報を付与することができる。付与部は、ＵＲＬ（２０４）にアクセスし、ＵＲＬ（２０４）で表示されるウェブサイトのソースコードをスクレイピングして、施設情報を抽出することができる。元情報（２００）には、場所名（２０３）の表示はあるものの、短縮されている場合もあり、これが正確な施設名であるか否かの信頼性は高くない。また、そもそも場所名（２０３）の表示がない場合もある。
2016051810.tif 000002
【特許請求の範囲】
【請求項１】
情報流通サイト上で入手可能な元情報に、空間上の特定の地点又は区域を関連づけて、地理空間情報を生成するための地理空間情報生成装置であって、
前記元情報を収集する収集部と、
前記元情報に対し、前記元情報に関連する施設情報を付与して地理空間情報を生成する付与部と
を備え、
前記付与部は、前記元情報に含まれるＵＲＬに基づいて前記施設情報を付与することを特徴とする地理空間情報生成装置。
【請求項２】
前記収集部は、ＵＲＬを含む元情報のみを収集することを特徴とする請求項１に記載の地理空間情報生成装置。
【請求項３】
前記収集部は、前記情報流通サイトのＡＰＩに「ｈｔｔｐ：」又は「ｈｔｔｐｓ：」の文字列を与えてリクエストを行うことにより元情報を収集することを特徴とする請求項２に記載の地理空間情報生成装置。
【請求項４】
前記付与部は、前記ＵＲＬで表示されるウェブサイトのソースコードをスクレイピングして、前記施設情報を付与することを特徴とする請求項１から３のいずれかに記載の地理空間情報生成装置。
【請求項５】
前記付与部は、前記スクレイピングの前に、前記元情報を前記情報流通サイトに提供するウェブサービスを判定することを特徴とする請求項４に記載の地理空間情報生成装置。
【請求項６】
前記施設情報は、施設名であることを特徴とする請求項１から５のいずれかに記載の地理空間情報生成装置。
【請求項７】
前記施設名に基づいて、施設名と経緯度との対応づけを保持する施設データベースを参照して経緯度を取得することを特徴とする請求項６に記載の地理空間情報生成装置。
【請求項８】
前記地理空間情報は、前記経緯度を逆ジオコーディングして得られた住所を含むことを特徴とする請求項７に記載の地理空間情報生成装置。
【請求項９】
前記元情報の一部に基づいて前記施設データベースの参照範囲を前記施設名の施設の所在地域と推定される範囲に限定してから、前記施設データベースを参照することを特徴とする請求項７又は８に記載の地理空間情報生成装置。
【請求項１０】
前記施設情報は、施設種別をさらに含むことを特徴とする請求項６から９のいずれかに記載の地理空間情報生成装置。
【請求項１１】
前記地理空間情報は、施設名及び施設種別又は施設名及び経緯度を含むことを特徴とする請求項６から１０のいずれかに記載の地理空間情報生成装置。
【請求項１２】
前記情報流通サイトは、ＳＮＳであることを特徴とする請求項１から１１のいずれかに記載の地理空間情報生成装置。
【請求項１３】
前記収集及び前記付与は、リアルタイムに行われることを特徴とする請求項１から１２のいずれかに記載の地理空間情報生成装置。
【請求項１４】
前記地理空間情報を携帯端末に送信する送信部をさらに備え、
前記送信部は、前記携帯端末の現在位置から所定の距離内の施設についての前記地理空間情報を送信することを特徴とする請求項１から１３のいずれかに記載の地理空間情報生成装置。
【請求項１５】
特定の地点又は区域に関連づけられた、過去又は現在の少なくとも一方の前記地理空間情報を集計してスコアを算出することを特徴とする請求項１から１３のいずれかに記載の地理空間情報生成装置。
【請求項１６】
前記スコアは、時間帯又は時期に応じて算出することを特徴とする請求項１５に記載の地理空間情報生成装置。
【請求項１７】
前記スコアは、前記特定の地点又は区域に関連づけられた前記地理空間情報の量を、各地理空間情報に写真が含まれるか否かに応じた重み付けをして集計することにより算出されることを特徴とする請求項１５又は１６に記載の地理空間情報生成装置。
【請求項１８】
前記スコアは、前記特定の地点又は区域に関連づけられた前記地理空間情報の量を、各地理空間情報に含まれる文字列の言語に応じた重み付けをして集計することにより算出されることを特徴とする請求項１５又は１６に記載の地理空間情報生成装置。
【請求項１９】
情報流通サイト上で入手可能な元情報に、空間上の特定の地点又は区域を関連づけて、地理空間情報を生成するための地理空間情報生成方法であって、
前記元情報を収集するステップと、
前記元情報に対し、前記元情報に関連する施設情報を付与して地理空間情報を生成するステップと
を含むことを特徴とする地理空間情報生成方法。
【請求項２０】
コンピュータに、情報流通サイト上で入手可能な元情報に、空間上の特定の地点又は区域を関連づけて、地理空間情報を生成するための方法を実行させるための地理空間情報生成プログラムであって、
前記方法は、
前記元情報を収集するステップと、
前記元情報に対し、前記元情報に関連する施設情報を付与して地理空間情報を生成するステップと
を含むことを特徴とする地理空間情報生成プログラム。
【発明の詳細な説明】
【技術分野】
【０００１】
本発明は、地理空間情報を生成するための装置、方法、及びプログラムに関し、より詳細には、情報流通サイト上で入手可能な元情報に、空間上の特定の地点又は区域を関連づけて、地理空間情報を生成するための装置、方法、及びプログラムに関する。
【背景技術】
【０００２】
ｉＯＳ（登録商標）又はＡｎｄｒｏｉｄ（登録商標）を搭載したスマートフォン、タブレット等の携帯端末の普及とともに、Ｆａｃｅｂｏｏｋ（登録商標）、Ｔｗｉｔｔｅｒ（登録商標）に代表されるＳＮＳ（ソーシャルネットワークサービス）の普及が、日本を含め世界的に、近年急速に進んでいる。【０００３】
両者の普及は、自宅以外の外出先で感じたこと、発見した物等のさまざまな体験をその場で共有することを可能にした。外出先で、スマートフォンでＳＮＳを利用することにより、その場に行かなければできない体験をテキスト、写真等の形で気軽に投稿ないし発信して、友人等と共有することができる。【０００４】
こうした体験の共有は、近年大幅に増加しており、たとえばＴｗｉｔｔｅｒの投稿数は、日本国内だけでも月間２０億件を超えている。内容としては、友人との会話、つぶやき、ニュース等の情報共有、食事、イベント参加等が多い。
【発明の概要】
【発明が解決しようとする課題】
【０００５】
このように、ＳＮＳへの投稿は、外出先の場所等と密接に関連した情報を含んでおり、地理空間情報（ｇｅｏｓｐａｔｉａｌ  ｉｎｆｏｒｍａｔｉｏｎ）と考えることができる。ここで「地理空間情報」とは、空間上の特定の地点又は区域に関連づけられた情報を意味する。ＳＮＳへの投稿の典型的な活用シーンとしては、投稿されたテキストデータを場所等により検索することで、どういった場所が注目を集めているかを分析することが挙げられる。【０００６】
しかしながら、テキスト検索によっては価値のある情報を得ることが困難であるのが実際であり、ＳＮＳへの投稿の十分な活用は図られていない。このことは、ＳＮＳへの投稿のみに限られた問題ではなく、情報流通サイト上で入手可能な情報（「元情報」ともいう。）のうち、特定の地点又は区域と関連づけられている可能性のあるものについても同様のことが言える。ここで、「情報流通サイト（ｉｎｆｏｒｍａｔｉｏｎ  ｄｉｓｔｒｉｂｕｔｉｏｎ  ｓｉｔｅ）」とは、ＳＮＳのほか、たとえば検索サイト等、インターネット上で情報を流通させるためのサイトを広く含む。【０００７】
本発明は、このような問題点に鑑みてなされたものであり、その目的は、情報流通サイト上で入手可能な元情報に、空間上の特定の地点又は区域を関連づけて、効率的に地理空間情報を生成するための装置、方法、及びプログラムを提供することにある。
【課題を解決するための手段】
【０００８】
このような目的を達成するために、本発明の第１の態様は、情報流通サイト上で入手可能な元情報に、空間上の特定の地点又は区域を関連づけて、地理空間情報を生成するための地理空間情報生成装置であって、前記元情報を収集する収集部と、前記元情報に対し、前記元情報に関連する施設情報を付与して地理空間情報を生成する付与部とを備え、前記付与部は、前記元情報に含まれるＵＲＬに基づいて前記施設情報を付与することを特徴とする。【０００９】
また、本発明の第２の態様は、第１の態様において、前記収集部がＵＲＬを含む元情報のみを収集することを特徴とする。【００１０】
また、本発明の第３の態様は、第２の態様において、前記収集部が、前記情報流通サイトのＡＰＩに「ｈｔｔｐ：」又は「ｈｔｔｐｓ：」の文字列を与えてリクエストを行うことにより元情報を収集することを特徴とする。【００１１】
また、本発明の第４の態様は、第１から第３のいずれかの態様において、前記付与部が前記ＵＲＬで表示されるウェブサイトのソースコードをスクレイピングして、前記施設情報を付与することを特徴とする。【００１２】
また、本発明の第５の態様は、第４の態様において、前記付与部が、前記スクレイピングの前に、前記元情報を前記情報流通サイトに提供するウェブサービスを判定することを特徴とする。【００１３】
また、本発明の第６の態様は、第１から第５のいずれかの態様において、前記施設情報が施設名であることを特徴とする。【００１４】
また、本発明の第７の態様は、第６の態様において、前記施設名に基づいて、施設名と経緯度との対応づけを保持する施設データベースを参照して経緯度を取得することを特徴とする。【００１５】
また、本発明の第８の態様は、第７の態様において、前記地理空間情報が、前記経緯度を逆ジオコーディングして得られた住所を含むことを特徴とする。【００１６】
また、本発明の第９の態様は、第６又は第７のいずれかの態様において、前記元情報の一部に基づいて前記施設データベースの参照範囲を前記施設名の施設の所在地域と推定される範囲に限定してから、前記施設データベースを参照することを特徴とする。【００１７】
また、本発明の第１０の態様は、第６から第９のいずれかの態様において、前記施設情報が施設種別をさらに含むことを特徴とする。【００１８】
また、本発明の第１１の態様は、第６から第１０のいずれかの態様において、前記地理空間情報が、施設名及び施設種別又は施設名及び経緯度を含むことを特徴とする。【００１９】
また、本発明の第１２の態様は、第１から第１１のいずれかの態様において、前記情報流通サイトがＳＮＳであることを特徴とする。【００２０】
また、本発明の第１３の態様は、第１から第１２のいずれかの態様において、前記収集及び前記付与がリアルタイムに行われることを特徴とする。【００２１】
また、本発明の第１４の態様は、第１から第１３のいずれかの態様において、前記地理空間情報を携帯端末に送信する送信部をさらに備え、前記送信部は、前記携帯端末の現在位置から所定の距離内の施設についての前記地理空間情報を送信することを特徴とする。【００２２】
また、本発明の第１５の態様は、第１から第１３のいずれかの態様において、特定の地点又は区域に関連づけられた、過去又は現在の少なくとも一方の前記地理空間情報を集計してスコアを算出することを特徴とする。【００２３】
また、本発明の第１６の態様は、第１５の態様において、前記スコアは、時間帯又は時期に応じて算出することを特徴とする。【００２４】
また、本発明の第１７の態様は、第１５又は第１６の態様において、前記スコアは、前記特定の地点又は区域に関連づけられた前記地理空間情報の量を、各地理空間情報に写真が含まれるか否かに応じた重み付けをして集計することにより算出されることを特徴とする。【００２５】
また、本発明の第１８の態様は、第１５又は第１６の態様において、前記スコアは、前記特定の地点又は区域に関連づけられた前記地理空間情報の量を、各地理空間情報に含まれる文字列の言語に応じた重み付けをして集計することにより算出されることを特徴とする。【００２６】
また、本発明の第１９の態様は、情報流通サイト上で入手可能な元情報に、空間上の特定の地点又は区域を関連づけて、地理空間情報を生成するための地理空間情報生成方法であって、前記元情報を収集するステップと、前記元情報に対し、前記元情報に関連する施設情報を付与して地理空間情報を生成するステップとを含むことを特徴とする。【００２７】
また、本発明の第２０の態様は、コンピュータに、情報流通サイト上で入手可能な元情報に、空間上の特定の地点又は区域を関連づけて、地理空間情報を生成するための方法を実行させるための地理空間情報生成プログラムであって、前記方法は、前記元情報を収集するステップと、前記元情報に対し、前記元情報に関連する施設情報を付与して地理空間情報を生成するステップとを含むことを特徴とする。
【発明の効果】
【００２８】
本発明の一態様によれば、情報流通サイト上で入手可能な元情報に、当該元情報に含まれるＵＲＬに基づいて、当該元情報に関連する施設情報を付与することにより、信頼性の高い施設名等の施設情報を元情報に加えて、空間上の特定の地点又は区域を関連づけられた地理空間情報を効率的に生成することができる。
【図面の簡単な説明】
【００２９】
【図１】本発明にかかる地理空間情報生成装置の概略図である。
【図２】情報流通サイトから収集される元情報の一例を示す図である。
【図３】ＴｗｉｔｔｅｒのＡＰＩからのレスポンスデータの一例を示す図である。
【発明を実施するための形態】
【００３０】
以下、図面を参照して本発明の実施形態を詳細に説明する。なお、地理空間情報生成装置は、当該装置にて行われる各処理を実現するためのプログラムをコンピュータ上で実行することにより構成され、コンピュータは、単一のコンピュータに限られない。
【００３１】
（本発明の概要）
図１は、本発明にかかる地理空間情報生成装置を示している。地理空間情報生成装置１００は、情報流通サイト上で入手可能な元情報を収集する収集部１１０と、当該元情報に対し、当該元情報に関連する施設情報を付与して地理空間情報を生成する付与部１２０とを備える。
【００３２】
収集部１１０が、Ｔｗｉｔｔｅｒ等の情報流通サイトから収集する元情報は、たとえば図２に示されるように表示される。元情報２００には、利用者ＩＤ２０１、投稿時間２０２、場所名２０３、ＵＲＬ２０４、エリア２０５、クチコミ２０６等が含まれる。収集は、情報流通サイトがキーワードサーチ用のＡＰＩを提供している場合には、ＵＲＬを特徴付ける文字列をＡＰＩにリクエストすることにより行うことができる。これにより、ＵＲＬを含む元情報のみを収集することができる。「ｈｔｔｐ：」、「ｈｔｔｐｓ：」等を文字列としてＡＰＩに与えることで、ＵＲＬを含む元情報を効率的に収集することができる。たとえば、Ｔｗｉｔｔｅｒ上で入手可能な元情報、すなわち投稿のうち、ＵＲＬを含むものは発明者らの調べによれば約５％程度であり、本発明の一実施形態では、投稿データの大半を破棄して積極的に解析対象から外し、地理空間情報を生成可能なものの選別を適切に行っている。さらに、ＡＰＩからのレスポンスには、施設情報を関連づけることのできない元情報も含まれる場合があり、これらを除外するために、収集した元情報（レスポンス）データを解析することもできる。Ｔｗｉｔｔｅｒであれば、ｓｏｕｒｃｅタグを解析して、所定のウェブサービス（ｆｏｕｒｓｑｕａｒｅ、ｉｎｓｔａｇｒａｍ等）が発行するＵＲＬを含むものに限定することや、ｔｅｘｔタグを解析して「（１半角スペース）ｈｔｔ（ｐ）」、「（１全角スペース）ｈｔｔ（ｐ）」等を含むものにフィルタリングすることができる（図３（ａ）参照）。
【００３３】
付与部１２０は、元情報２００のＵＲＬ２０４に基づいて、元情報に関連する施設情報を付与することができる。付与部１２０は、ＵＲＬ２０４にアクセスし、ＵＲＬ２０４で表示されるウェブサイトのソースコードをスクレイピング（ウェブ・スクレイピング）して、施設情報を抽出することができる。元情報２００には、場所名２０３の表示があり、これに基づいて施設名を判定することもできるものの、短縮されている場合もあり、これが正確な施設名であるか否かの信頼性は必ずしも高くない。また、そもそも場所名２０３の表示がない場合もある。本発明の一実施形態では、ＵＲＬ２０４を辿ることによって、より信頼性の高い施設名等の施設情報を取得することを可能とする。
【００３４】
なお、収集部１１０における収集と、付与部１２０における付与とは、リアルタイムに行うことができる。情報流通サイトによっては、元情報が秒単位で生成されており、このような情報に対するニーズも短期間に生じ、なくなっていくものであるため、情報の鮮度あるいは即時性が極めて重要である。そのため、収集と付与とを秒単位で繰り返すリアルタイム処理が求められる。たとえば、災害、防災等に関する情報のリアルタイム処理に対するニーズが挙げられる。収集については、たとえば、ＡＰＩへのリクエスト元を多重化させることによって、処理速度の高速化を図ることができる。
【００３５】
地理空間情報生成装置１００は、生成した地理空間情報を携帯端末に送信する送信部１３０をさらに備えることができる。送信部１３０は、当該携帯端末の現在位置から所定の距離内の施設についての地理空間情報を送信することができる。携帯端末では、受信した地理空間情報を閲覧することや、地図上に表示することで、現在位置に密接に関連した情報を入手することができる。たとえば、元情報がクチコミ情報を含む場合には、カーナビ、歩行者・自転車向けのナビゲーションサービス、地域情報サービス等に応用することで、単純な地図、経路情報等ではなく、目的地、現在地等の周囲で注目を集めている施設の存在を簡便に知らせることができる。
【００３６】
（施設情報の付与）
スクレイピングされるソースコードには、情報流通サイトに元情報を提供するウェブサービスにもよるが、元情報に関連づけられた施設情報、具体的には施設名、経緯度、施設種別等が、解析可能な形で記載されている。どのような形で記載がなされているかは、上述のとおりウェブサービスにより異なることがあるため、ウェブサービスの判定を行ってから、当該ウェブサービスに対応するスクレイピング・ロジックを選択することができる。さらに、同一のウェブサービスから提供される元情報であっても、たとえばＳＮＳへの投稿における画像の有無等、元情報の具体的な内容に応じてソースコードの記述方式が異なることがあるため、具体的な内容に対応するスクレイピング・ロジックを用意しておき、選択することもできる。
【００３７】
ウェブサービスの判定は、情報流通サイトがＴｗｉｔｔｅｒである場合には、文字列とウェブサービスとの対応づけを保持する対応テーブルを参照して、収集部１１０が収集したレスポンスデータのｓｏｕｒｃｅタグ（図３（ａ）参照）に含まれる文字列に基づいて行うことができる。
【００３８】
経緯度（緯度経度）は、ソースコードのスクレイピングによって、判定できる場合とできない場合があり、判定できない場合には、判定された施設名に基づいて、施設名と経緯度との対応づけを保持する施設データベースを参照して判定することもできる。この際、元情報の一部、たとえば行政区画等のエリア２０５、レスポンスデータに含まれる経緯度等に基づいて当該施設データベースの参照範囲を当該施設の所在地域と推定される範囲に限定してから、施設名に基づいて参照することで、判定精度を高めることができる。このようにすることで、同一の施設名ではあるものの、大きく離れた施設と判定されてしまうことを、たとえば防ぐことができる。この際、推定所在地域への限定をあらかじめ行っておくと、表記揺れに対する対応を要する施設名のマッチング処理数を減少させることができる。エリア２０５は、元情報のレスポンスデータでは、たとえば図３（ｂ）のように記述される。
【００３９】
施設種別は、判定できない場合には、判定された施設名に基づいて、施設名と施設種別との対応づけを保持する施設種別データベースを参照して判定することもできる。また、飲食店、観光施設等に関する情報サイト等のウェブサービスが提供するＡＰＩに、判定された施設名をリクエストし、レスポンスデータを解析することにより、施設種別を判定することもできる。この際、施設名に対して、元情報の一部に基づいて当該施設名を補った後に参照をすることで、判定精度を高めることができる。
【００４０】
住所は、経緯度を変換すること（「逆ジオコーディング」とも呼ばれる。）により取得可能である。
【００４１】
（地理空間情報の分析）
上述のように生成される地理空間情報は、元情報が密接に関連する地点又は区域を特定するものであるため、様々な活用が可能となる。
【００４２】
たとえば、特定の地点又は区域に関連づけられた、過去から現在までの地理空間情報のすべて又は一部を集計して混雑具合、人気度、話題度、魅力度、危険度等の各種のスコアを算出することができる。特定の施設に関連づけられた地理空間情報の量を集計すれば、その施設が注目の時点、時間帯、時期、又は期間においてどの程度混雑しているかを評価することができる。また、地理空間情報の量のみならず、各地理空間情報が写真を含むか否かによって重み付けして集計することで、写真を含む投稿は魅力が高いと感じられる傾向にあるため、その施設の魅力度を評価することができる。また、施設名に「駅」が含まれる場合には、魅力度の評価においてはそのような元情報を除外することで、乗降客数が１日平均数十万人にのぼるような駅が単に混雑しているのみにも関わらず魅力度が高い施設として評価されてしまうことを避けることができる。また、投稿に含まれる文字列に危機管理関係の所定のキーワードが含まれているか否かにより重み付けをすることにより、危険度を評価することができる。このような各種スコアは、民間企業のマーケティング、公的機関における危機管理、一般コンシューマー、旅行者等に対する人気情報・流行情報の提供等、多様な場面での活用が見込まれる。
【００４３】
一例としては、地理空間情報に含まれる文字列の言語に応じた重み付けをして集計することにより、特定の文化圏を対象としたスコア算出を行うこともできる。中国人観光客向けにある地域で人気の高い施設を知らせるためには、たとえば当該地域に関連づけられたＳＮＳへの投稿データを、写真を含み、かつ、中国語の文字列を含む投稿データのみにフィルタリングすることによって、中国人観光者向けの人気施設ランキングを提供することができるようになる。このような行動傾向の分析がアンケート等の事前準備をすることなく可能になる点は地理空間情報の用途を大きく拡げることとなる。
【００４４】
（各種データベース）
地理空間情報を蓄積することでデータベースの構築が可能であり、各レコードは、元情報に加えて、施設名、施設種別、経緯度、住所等を含むことができる。さらに、各施設を一意に特定する施設ＩＤを加えてもよい。元情報がＳＮＳへの投稿データである場合には、当該データベースは、利用者ＩＤ、投稿ＩＤ、投稿テキスト、投稿画像、日付等をさらに含むことができる。これらの情報に基づいて、各種の特定用途のデータベースを構築することができる。
【００４５】
「施設データベース」として、施設ＩＤ、施設名、施設種別、経緯度、及び住所で構成されるデータベースを構築することができる。各施設について、人気度等のスコアを算出しておいてもよい。
【００４６】
「利用者データベース」として、利用者ＩＤに基づいて当該利用者の居住エリア、勤務エリア、性別、職業、年齢等を判定して各利用者の属性で構成されるデータベースを構築することができる。利用者データベースが構築されていると、たとえば、元情報に含まれる文字列の言語分析の代わりに、元情報の発信者の居住エリアによりフィルタリングをすることで、特定の文化圏あるいは出身地向けの魅力度を評価することができる。
【００４７】
「エリア特徴データベース」として、エリア（区域）、時間又は時間帯、平日又は休日、エンターテインメント指数、飲食指数、夜指数、旅行指数、宿泊指数、アウトドア指数、女性指数、男性指数、旅行者指数、居住者指数、外国人指数等により構成されるデータベースを構築することができる。地球上に存在する各エリアに対して、その場所のもつ複合的な特徴等を算出することができる。たとえば、渋谷液半径１ｋｍエリアの休日午後３時台のエンターテインメントを算出することによって、当該エリアの該当時間における消費者のエンターテインメント行動の傾向を表すことができる。
【００４８】
生成された行動情報から所定のエリアに関連づけられたものを抽出し、時間又は時間帯及び休日平日は、元情報２００に含まれる投稿時間２０２等から得ることができる。エンターテインメント指数は、「地理空間情報」と「利用者データベース」と「施設データベース」を使って日々の消費者のエンターテインメント施設に関わる行動と利用者特徴と施設特徴を掛けあわせて集計することにより得ることができる。また、その他の指数も同様である。
【００４９】
たとえば、ある人物の移動履歴として人物ＩＤ、経緯度、時間又は時間帯等があるとき、エリア特徴データベースの各指数を複合的に組み合わせることにより自動的に人物の特徴（シルエット情報）を算出することができる。移動履歴に含まれる経緯度及び時間又は時間帯に基づいてエリア特徴データベースを参照することで、特定のエリア、時間又は時間帯、平日又は休日において高い値を取る指数を読み出し、当該人物の特徴が分かるのである。
【００５０】
渋谷駅半径１ｋｍエリアの休日午後３時台のエンターテインメント指数等、各エリアを特徴づける指数が分かると、インターネット広告配信時の配信ターゲットの特定に有効な指標を提供することができる。具体的には、渋谷駅半径１ｋｍエリアに休日午後３時台にスマートフォンデバイスを利用している消費者に広告を配信する場合に、その場でインターネット広告配信事業者が渋谷駅半径１ｋｍエリアの休日午後３時台の各種指数を参照することで、より消費者の状況に合った広告の配信ができる。他にも、ショッピングセンターの出店計画、屋外広告、広告配信に最適なエリアや時間帯を自動的に算出することも可能である。
【符号の説明】
【００５１】
１００  地理空間情報生成装置
１１０  収集部
１２０  付与部
１３０  送信部
２００  元情報
２０１  利用者ＩＤ
２０２  投稿時間
２０３  場所名
２０４  ＵＲＬ
２０５  エリア
【図１】
2016051810.tif 000003
【図２】
2016051810.tif 000004
【図３】
2016051810.tif 000005
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
空間上の特定の地点又は区域に関連づけられた、過去又は現在の少なくとも一方の地理空間情報を集計してスコアを算出するための装置であって、
前記スコアは、前記特定の地点又は区域に関連づけられた前記地理空間情報の量を、各地理空間情報に含まれる文字列の言語に応じた重み付けをして集計することにより算出されることを特徴とする装置。
【請求項２】
前記地理空間情報は、情報流通サイト上で入手可能な元情報に、特定の地点又は区域を関連づけて生成されることを特徴とする請求項１に記載の装置。
【請求項３】
前記元情報を収集する収集部と、
前記元情報に対し、前記元情報に関連する施設情報を付与して地理空間情報を生成する付与部と
を備えることを特徴とする請求項２に記載の装置。
【請求項４】
前記付与部は、前記元情報に含まれるＵＲＬに基づいて前記施設情報を付与することを特徴とする請求項３に記載の装置。
【請求項５】
前記収集部は、ＵＲＬを含む元情報のみを収集することを特徴とする請求項３又は４に記載の装置。
【請求項６】
前記収集部は、前記情報流通サイトのＡＰＩに「（１半角スペース）ｈｔｔ」又は「（１全角スペース）ｈｔｔ」の文字列を与えてリクエストを行うことにより元情報を収集することを特徴とする請求項５に記載の装置。
【請求項７】
前記付与部は、前記ＵＲＬで表示されるウェブサイトのソースコードをスクレイピングして、前記施設情報を付与することを特徴とする請求項３から６のいずれかに記載の装置。
【請求項８】
前記付与部は、前記スクレイピングの前に、前記元情報を前記情報流通サイトに提供するウェブサービスを判定することを特徴とする請求項７に記載の装置。
【請求項９】
前記施設情報は、施設名であることを特徴とする請求項３から８のいずれかに記載の装置。
【請求項１０】
前記施設名に基づいて、施設名と経緯度との対応づけを保持する施設データベースを参照して経緯度を取得することを特徴とする請求項９に記載の装置。
【請求項１１】
前記地理空間情報は、前記経緯度を逆ジオコーディングして得られた住所を含むことを特徴とする請求項１０に記載の装置。
【請求項１２】
前記元情報の一部に基づいて前記施設データベースの参照範囲を前記施設名の施設の所在地域と推定される範囲に限定してから、前記施設データベースを参照することを特徴とする請求項１０又は１１に記載の装置。
【請求項１３】
前記施設情報は、施設種別をさらに含むことを特徴とする請求項９から１２のいずれかに記載の装置。
【請求項１４】
前記収集及び前記付与は、前記情報流通サイトのＡＰＩへのリクエスト元を多重化させることによりリアルタイムに行われることを特徴とする請求項２から１３のいずれかに記載の装置。
【請求項１５】
前記地理空間情報を携帯端末に送信する送信部をさらに備え、
前記送信部は、前記携帯端末の現在位置から所定の距離内の施設についての前記地理空間情報を送信することを特徴とする請求項１から１４のいずれかに記載の装置。
【請求項１６】
前記スコアは、時間帯又は時期に応じて算出することを特徴とする請求項１から１５のいずれかに記載の装置。
【請求項１７】
前記スコアは、前記特定の地点又は区域に関連づけられた前記地理空間情報の量を、各地理空間情報に写真が含まれるか否かに応じた重み付けをして集計することにより算出されることを特徴とする請求項１から１６のいずれかに記載の装置。
【請求項１８】
前記スコアは、前記施設名に「駅」が含まれる地理空間情報を除外して算出することを特徴とする請求項９から１３のいずれかに記載の装置。
【請求項１９】
地理空間情報にかかる方法であって、
空間上の特定の地点又は区域に関連づけられた、過去又は現在の少なくとも一方の地理空間情報を集計してスコアを算出するステップを含み、
前記スコアは、前記特定の地点又は区域に関連づけられた前記地理空間情報の量を、各地理空間情報に含まれる文字列の言語に応じた重み付けをして集計することにより算出されることを特徴とする方法。
【請求項２０】
コンピュータに、地理空間情報にかかる方法を実行させるためのプログラムであって、
前記方法は、
空間上の特定の地点又は区域に関連づけられた、過去又は現在の少なくとも一方の地理空間情報を集計してスコアを算出するステップを含み、
前記スコアは、前記特定の地点又は区域に関連づけられた前記地理空間情報の量を、各地理空間情報に含まれる文字列の言語に応じた重み付けをして集計することにより算出されることを特徴とするプログラム。
【国際調査報告】
2016051810.tif 000006
2016051810.tif 000007
2016051810.tif 000008
2016051810.tif 000009